(57)【要約】【課題】主制御局および副制御局に従局として同期して通信するときに、無線環境が悪い場所でも待ち受け中における消費電力を抑制して電池駆動での時間を長くすることで利便性を向上させることが可能な無線通信装置を提供することを目的とする。【解決手段】電話ドアホン連携子機は、制御局であるコードレス電話親機とドアホン親機の制御チャネルを受信しており、どちらか一方の親機からの制御チャネルの受信が成功すれば、次フレームから制御チャネルの受信を停止し、間欠受信処理を行う。この構成により、２つの制御局の待ち受け状態でも、どちらか一方の制御チャネルの受信が成功すれば間欠受信処理を行い、電話ドアホン連携子機の消費電力を削減することができる。【選択図】図８
2007208609.tif 000002
【特許請求の範囲】
【請求項１】
主制御局と、前記主制御局に同期している１台以上の副制御局とから、それぞれ制御情報を受信して従局として同期する無線通信装置において、
待機中に制御情報の受信を一定時間停止する間欠受信処理手段と、前記主制御局と前記副制御局のどちらか一方の制御局の制御情報を正常に受信した後に、前記制御情報の受信を停止する手段とを有することを特徴とする無線通信装置。
【請求項２】
前記主制御局、または前記副制御局からの呼び出し制御情報を正常受信したか否かにより、前記制御情報の受信を停止する時間長を決定する手段を有することを特徴とする請求項１記載の無線通信装置。
【請求項３】
時分割多重方式で通信を行い、時分割多重の同期が取れた複数の制御局から送信される制御情報を受信し、前記複数の制御局に同期して時分割多重の同期維持を行う無線通信装置であって、
前記制御局が制御情報を送信する全てのタイミングで受信動作を行う第１の受信状態と、前記制御局が制御情報を送信するタイミングのうち予め決められ制御情報の送信タイミングのみで受信動作を行う第２の受信状態とを有し、
前記複数の制御局から送信される制御情報を所定時間内で少なくとも一回正しく受信できたときに、前記第２の受信状態で受信し、
前記複数の制御局から送信される制御情報を所定時間内で正しく受信できなかったときに、前記第１の受信状態で受信を行う機能を備えたことを特徴とする無線通信装置。
【発明の詳細な説明】
【技術分野】
【０００１】
本発明は、制御局と従局とが時分割多重で通信を行う無線通信装置に関する。
【背景技術】
【０００２】
一般家庭では、コードレス電話装置等のＴＤＭＡ（時分割多重）で通信を行う１つの制御局に対し複数の従局を有する無線通信システムが普及してきている。図１０は、コードレス電話装置とドアホン装置を備えた構成を示す図であり、この例で、１つの制御局と複数の従局の例を説明する。図１０に示すようにコードレス電話装置６００のコードレス電話親機６００ａを制御局とし、複数のコードレス電話子機６００ｂを従局とすれば、コードレス電話親機６００ａを１階のリビングに配置したとすると、コードレス電話子機６００ｂを２階の子供部屋や寝室等の各部屋に配置することで、着信の度にコードレス電話親機６００ａまで通話しに行かなくても良いので利便性が非常に高い（図１０において、コードレス電話子機６００ｂは１台だけ図示している。）。
【０００３】
また、一般家庭において、カメラ付きドアホン装置６０１を設置する場合がある。カメラ付きドアホン装置６０１は、カメラ、マイク、スピーカ、およびチャイムを鳴らす鳴動用ボタンなどを備えた玄関子機６０１ａが門柱などに設置され、モニタ、マイク、スピーカ、および通話状態とする応答用ボタンを備えたドアホン親機６０１ｂがリビングなどに設置される。
【０００４】
最近では、カメラ付きドアホン装置６０１にもドアホン親機６０１ｂと無線通信するドアホンモニタ子機を備えたものがある。この場合にはドアホン親機６０１ｂを制御局とし、ドアホンモニタ子機を従局として無線通信する（図１０においては、図示せず。）このドアホンモニタ子機は、来訪者が鳴動用ボタンを押下すると、ドアホン親機６０１ｂより無線接続され、カメラに写された来訪者の映像がドアホンモニタ子機に送信され、応答ボタンによって、玄関にいる来訪者との通話が可能になる。
【０００５】
このように、コードレス電話装置６００、カメラ付きドアホン装置６０１など、一般家庭内には、無線装置が複数導入されるようになってきている。
【０００６】
しかしながら、複数の無線装置によって専用子機が存在すると、これらの子機の管理が困難である。そこで、コードレス電話装置６００とカメラ付きドアホン装置６０１の子機の共用化が図られ、開発されている。
【０００７】
このコードレス電話機の子機とカメラ付きドアホンモニタ子機とを共用した子機は、電話ドアホン連携子機と呼ばれ、コードレス電話親機６００ａ、ドアホン親機６０１ｂからの着信を受信し、応答することができる。
【０００８】
図１１は、この電話ドアホン連携子機が、ドアホン親機６０１ｂおよびコードレス電話親機６００ａとＴＤＭＡで通信するときの状態を示す図である。電話ドアホン連携子機は、図１１のＴＤＭＡのスロット構成に示すように、コードレス電話親機６００ａ、およびドアホン親機６０１ｂと同期をとっており、それぞれの親機の制御情報を受信している。このとき、主制御局であるコードレス電話親機６００ａに副制御局であるドアホン親機６０１ｂが同期している。
【０００９】
ドアホン親機６０１ｂと電話ドアホン連携子機とは、コードレス電話親機６００ａがスロット１で送信している制御情報を受信し、同期をとっている。さらに、電話ドアホン連
携子機は、ドアホン親機６０１ｂが送信している制御情報を受信している。このスロット構成により、電話ドアホン連携子機は、コードレス電話親機６００ａとドアホン親機６０１ｂからの制御情報を受信し、どちらからの着信も可能である。
【００１０】
また、電話ドアホン連携子機は、電池駆動のため待ち受け中は消費電力が少なくなるように、親機が送信している制御情報を全て受信せずに、ある一定間隔で制御情報の受信を行う間欠受信処理を行っている。つまり１つの制御情報受信を行う電話ドアホン連携子機は、待機中において制御情報を正常受信した後、一定時間、制御情報の受信を停止する間欠受信処理を行い、待ち受け中の消費電力を削減している。
【特許文献１】特開平７−８７５５６号公報
【発明の開示】
【発明が解決しようとする課題】
【００１１】
しかし、図１２に示すように制御情報の受信に失敗してしまうと（Ｓ８０１）、制御情報を正常受信するまで（Ｓ８０２）連続受信状態となり、無線環境が悪い場所では、反対に消費電力が増加する。また、電話ドアホン連携子機で、主制御局と副制御局との制御情報を両方とも正常受信した場合に間欠受信処理を行うとなると、消費電力はさらに増大することになる。
【００１２】
そこで本発明の目的は、制御局および副制御局に従局として同期して通信するときに、無線環境が悪い場所でも待ち受け中における消費電力を抑制して電池駆動での時間を長くすることで利便性を向上させることが可能な無線通信装置を提供する。
【課題を解決するための手段】
【００１３】
本発明の無線通信装置は、主制御局と、前記主制御局に同期している１台以上の副制御局とから、それぞれ制御情報を受信して従局として同期する無線通信装置において、待機中に制御情報の受信を一定時間停止する間欠受信処理手段と、前記主制御局と前記副制御局のどちらか一方の制御局の制御情報を正常に受信した後に前記制御情報の受信を停止する手段とを有することを特徴とする。
【発明の効果】
【００１４】
本発明は、主制御局、副制御局どちらかの制御情報を正常受信すれば制御情報受信を停止し間欠受信処理を行うことができるので、無線環境が悪い場所でも、どちらとも同期を外ことなく、待ち受け中における消費電力の削減が可能になる。よって電池駆動での時間を長くすることができるので、利便性の高い無線通信装置とすることができる。
【発明を実施するための最良の形態】
【００１５】
本願の第１の発明は、主制御局と、主制御局に同期している１台以上の副制御局とから、それぞれ制御情報を受信して従局として同期する無線通信装置において、待機中に制御情報の受信を一定時間停止する間欠受信処理手段と、主制御局と副制御局のどちらか一方の制御局の制御情報を正常に受信した後に、制御情報の受信を停止する手段とを有することを特徴としたものである。
【００１６】
主制御局および１台以上の副制御局の複数の制御局に同期する従局として通信する本発明の無線通信装置が、どちらとも同期を外すことなく消費電力を低減できるという利点を有する。
【００１７】
本願の第２の発明は、主制御局、または副制御局からの呼出し制御情報を正常受信したか否かにより、制御情報の受信を停止する時間長を決定する手段を有することを特徴としたものである。
【００１８】
主制御局または副制御局からの呼出しの遅延が最小限になるようにできるという利点を有する。
【００１９】
本願の第３の発明は、時分割多重方式で通信を行い、時分割多重の同期が取れた複数の制御局から送信される制御情報を受信し、複数の制御局に同期して時分割多重の同期維持を行う無線通信装置であって、制御局が制御情報を送信する全てのタイミングで受信動作を行う第１の受信状態と、制御局が制御情報を送信するタイミングのうち予め決められ制御情報の送信タイミングのみで受信動作を行う第２の受信状態とを有し、複数の制御局から送信される制御情報を所定時間内で少なくとも一回正しく受信できたときに、第２の受信状態で受信し、複数の制御局から送信される制御情報を所定時間内で正しく受信できなかったときに、第１の受信状態で受信を行う機能を備えたことを特徴としたものである。
【００２０】
同期している全ての制御局の制御情報を受信しなくても、同期を外すことなく消費電力を低減できるという利点を有する。
【００２１】
（実施の形態）
以下、本発明の実施の形態について、図１〜図９に基づいて説明する。まずは、本発明の実施の形態に係る無線通信システムについて図１に基づいて説明する。図１は、本発明の実施の形態に係る無線通信システムの構成図である。
【００２２】
図１に示すように、本発明の実施の形態に係る無線通信システム１０１は、ドアホン装置１０２と、コードレス電話装置１０３とを備えている。ドアホン装置１０２は、玄関子機１０２ａと、ドアホン親機１０２ｂとから構成される。コードレス電話装置１０３は、コードレス電話親機１０３ａと、電話ドアホン連携子機１０３ｂとを備えている。電話ドアホン連携子機１０３ｂは、コードレス電話子機、およびドアホン子機にもなり、ドアホン親機１０２ｂとコードレス電話親機１０３ａとのどちらからでも着信させることができる。図１では、電話ドアホン連携子機１０３ｂとして１台しか図示していないが複数台でもよい。
【００２３】
本実施の形態の無線通信システム１０１では、コードレス電話親機１０３ａが主制御局、ドアホン親機１０２ｂが副制御局、電話ドアホン連携子機１０３ｂが従局となり、無線によるＴＤＭＡで通信している。ドアホン親機１０２ｂはコードレス電話親機１０３ａの制御チャネルの受信を行っており、フレームタイミングで同期をとっている。それゆえ、電話ドアホン連携子機１０３ｂは、コードレス電話親機１０３ａ、ドアホン親機１０２ｂのどちらかと同期をすることにより、どちらの親機ともフレームタイミングで同期をとれ、両方の制御チャネルの受信を行うことができる。
【００２４】
次に玄関子機１０２ａについて図２に基づいて説明する。図２は、玄関子機１０２ａの外観図である。玄関子機１０２ａの前面には、来訪者を撮像するためのカメラ１２０１と、来訪者と通話を行うマイク１２０２と、スピーカ１２０３と、来訪者がドアホン親機１０２ｂおよびコードレス電話親機１０３ａに来訪を伝える呼出しボタン１２０４が配置されている。
【００２５】
次に、ドアホン親機１０２ｂについて図３に基づいて説明する。図３は、ドアホン親機１０２ｂの外観図である。ドアホン親機１０２ｂの前面には、玄関子機１０２ａの来訪者の画像を映すＬＣＤパネル１０２０と、応答ボタン１０１８が配置されている。また、玄関子機１０２ａの来訪者と通話するためのマイク１０１５およびスピーカ１０１６を有している。
【００２６】
次に、コードレス電話親機１０３ａについて図４に基づいて説明する。図４は、コードレス電話親機１０３ａの外観図である。親機本体１１０１には、カールコード１１０２を介して受話器１１０３が接続されている。また親機本体１１０１には操作ボタン１１０４と表示パネル１１０５が設けられている。
【００２７】
そして電話ドアホン連携子機１０３ｂについて図５に基づいて説明する。図５は、電話ドアホン連携子機１０３ｂの外観図である。電話ドアホン連携子機１０３ｂの前面には、玄関子機１０２ａの来訪者の画像を映すＬＣＤパネル１１０７と、応答ボタン１１０９がある。また、玄関子機１０２ａの来訪者と通話するためのマイク１１１０と、電話ドアホン連携子機１０３ｂの背面にスピーカ１１１１を有している。
【００２８】
ここで、本発明の実施の形態に係る無線通信装置の一例である電話ドアホン連携子機について図６に基づいて詳細に説明する。図６は、本発明の実施の形態に係る電話ドアホン連携子機のブロック図である。電話ドアホン連携子機１０３ｂは、無線受信部２０１と、無線送信部２０２と、受信制御チャネル制御部２０３と、受信制御チャネル管理部２０４と、呼制御部２０５と、通信チャネル制御部２０６とを備えている。
【００２９】
無線受信部２０１は、アンテナから受信されたＴＤＭＡの受信信号を復調処理する。無線送信部２０２は、送信データをアンテナからＴＤＭＡの無線で変調送信する。受信制御チャネル制御部２０３は、無線受信部２０１で受信した制御チャネルのデータを受信し処理を行う。受信制御チャネル管理部２０４は、受信制御チャネルがどの親機からの制御チャネルの受信か、スロットや受信周波数を管理する。呼制御部２０５は、ドアホン親機１０２ｂまたはコードレス電話親機１０３ａからの着信に対し応答を行うときの音声、データ通信の発呼、着呼を制御する。通信チャネル制御部２０６は、ＴＤＭＡ通信で送受信する周波数チャンネルを制御する。
【００３０】
電話ドアホン連携子機１０３ｂは、ドアホン親機１０２ｂまたはコードレス電話親機１０３ａのどちらの親機での制御チャネルの受信かの判定や、消費電力削減のための制御チャネルの一定時間受信停止処理等を行っている。これは、無線受信部２０１が制御情報を正常に受信したときに、無線受信部２０１から受信制御チャネル制御部２０３に正常受信をした情報が伝達され、その情報から受信制御チャネル制御部２０３は無線受信部２０１の制御チャネルの受信設定を解除し、制御チャネルの受信を停止する時間を設定することで、制御情報の受信を一定時間停止して消費電力削減を図っている。つまり、無線受信部２０１と、受信制御チャネル制御部２０３と、受信制御チャネル管理部２０４とで、間欠受信処理手段として機能させている。
【００３１】
制御チャネルの受信停止時間は、受信制御チャネル管理部２０４により、ドアホン親機１０２ｂか、またはコードレス電話親機１０３ａの制御チャネルの受信状況を判定し、決定される。つまり、受信制御チャネル管理部２０４は、主制御局と副制御局のどちらか一方の制御局の制御情報を正常に受信した後に制御情報の受信を停止する手段と、主制御局と副制御局の呼出し制御情報を正常受信したか否かにより制御情報の受信を停止する時間長を決定する手段に相当する。
【００３２】
次に、本発明の実施の形態に係る無線通信システムの動作を図７から図９に基づいて説明する。図７は、本発明の実施の形態に係る無線通信システムにおいて、正常系での制御チャネル受信のスロットを説明する図である。図８は、本発明の実施の形態に係る無線通信システムにおいて、コードレス電話親機からの制御信号の受信に失敗した場合のスロット説明図である。図９は、本発明の実施の形態に係る無線通信システムにおいて、コードレス電話親機、およびドアホン親機の両方の制御信号の受信に失敗した場合のスロット説明図である。
【００３３】
まずは、ドアホン装置１０２およびコードレス電話装置１０３が、良好な無線環境の状態で通信を行っている場合を図７に基づいて説明する。
【００３４】
図７に示すように、コードレス電話親機１０３ａは、スロット１で制御チャネルを送信している。ドアホン親機１０２ｂは、スロット６で制御チャネルを送信、またスロット１でコードレス電話親機１０３ａの制御チャネルを受信しており、コードレス電話親機１０３ａに同期している。電話ドアホン連携子機１０３ｂは、コードレス電話親機１０３ａ、およびドアホン親機１０２ｂの両方の制御チャネルも受信可能になっている。
【００３５】
電話ドアホン連携子機１０３ｂは、待ち受け中には消費電力削減のため、制御チャネルの受信を一定時間停止する間欠受信処理を行っている。コードレス電話親機１０３ａ、およびドアホン親機１０２ｂは、１６フレームに一回呼出し制御情報を含む制御信号を送信しており、電話ドアホン連携子機１０３ｂは、間欠受信中、その呼出し制御情報を受信するために、フレーム番号１６ｎ（以下ｎは自然数）のタイミングでは、制御チャネルの受信を停止せず、制御チャネルの受信を行っている（Ｓ３０１）。
【００３６】
その呼出し制御情報の制御信号をコードレス電話親機１０３ａ、およびドアホン親機１０２ｂの両方とも正常に受信した場合、次フレームから制御チャネルの受信を停止する（Ｓ３０２）。
【００３７】
次の受信はフレーム番号１６（ｎ＋４）で行われる。従って、１フレーム１０ｍｓのＴＤＭＡ方式を用いている場合では、次の呼出し制御情報を含む制御信号の受信が行われるまでの時間は６４０ｍｓとなる。コードレス電話親機１０３ａ、またはドアホン親機１０２ｂの各親機からの呼出し制御情報が送信されてから、最大０．６秒の遅延が発生するが、動作上では問題はない。
【００３８】
次に、ドアホン装置１０２およびコードレス電話装置１０３が、不良な無線環境の状態で通信を行っているときに、コードレス電話親機１０３ａからの制御信号の受信に電話ドアホン連携子機１０３ｂが失敗した場合を図８に基づいて説明する。
【００３９】
電話ドアホン連携子機１０３ｂが、コードレス電話親機１０３ａからの制御信号は受信成功し（Ｓ４０１）、ドアホン親機１０２ｂからの制御信号は受信失敗（Ｓ４０２）した場合、次フレームからの制御チャネルの受信は停止する。これは、どちらか一方の制御チャネルの受信が成功していれば、同期が維持できるので、次フレームから制御チャネルの受信を停止させることができる（Ｓ４０３）。しかし、ドアホン親機１０２ｂからの呼出し制御情報の制御信号を受信失敗しているので、コードレス電話親機１０３ａ、またはドアホン親機１０２ｂの各親機が次の呼出し制御情報を送信するフレーム番号１６（ｎ＋１）のフレームまで制御チャネルの受信は停止する（Ｓ４０４）。
【００４０】
次に、ドアホン装置１０２およびコードレス電話装置１０３が、不良な無線環境の状態で通信を行っているときに、コードレス電話親機１０３ａ、およびドアホン親機１０２ｂ両方からの制御信号の受信に電話ドアホン連携子機が失敗した場合を図９に基づいて説明する。
【００４１】
無線環境が不良なため、フレーム番号１６ｎで両方の親機（コードレス電話親機１０３ａおよびドアホン親機１０２ｂ）からの制御信号の受信に電話ドアホン連携子機１０３ｂが失敗（Ｓ５０１）している。この場合、同期が維持できていない可能性があるので、次フレームでの制御チャンネルの受信を行う。次フレームでどちらかの親機の制御チャネルの受信が成功すれば、その次フレームから制御チャネルの受信を停止する（Ｓ５０２）。
呼出し制御情報の制御信号の受信を失敗しているので、親機が次の呼出し制御情報を送信するフレーム番号１６（ｎ＋１）のフレームで制御チャネルを受信するまでの受信停止をする（Ｓ５０３）。
【００４２】
以上の本実施の形態で説明した電話ドアホン連携子機１０３ｂの間欠受信処理において、無線環境の状態が良く２つの親機からの制御チャネルの受信失敗が少なければ、電話ドアホン連携子機１０３ｂは長時間、制御チャネルの受信を停止する間欠受信処理を行うことができる。また、２つの親機のどちらかの制御チャネルが受信できれば電話ドアホン連携子機１０３ｂは短時間の間隔での間欠受信処理が設定されるので、いずれかの親機の待ち受けのみの子機の場合は、１つ親機の制御チャネルの受信が成功するまで、連続受信の状態になるが、２つの親機の待ち受けをしている電話ドアホン連携子機１０３ｂは、どちらかの制御チャネルを受信できれば、短時間でも間欠受信処理を行うので、消費電力の削減が図ることができる。
【産業上の利用可能性】
【００４３】
本発明は、コードレス電話とコードレスドアホンモニタを連携させることにより、消費電力をより削減するコードレス子機を提供できるという利点がある。
【図面の簡単な説明】
【００４４】
【図１】本発明の実施の形態に係る無線通信システムの構成図
【図２】玄関子機の外観図
【図３】ドアホン親機の外観図
【図４】コードレス電話親機の外観図
【図５】電話ドアホン連携子機の外観図
【図６】本発明の実施の形態に係る電話ドアホン連携子機のブロック図
【図７】本発明の実施の形態に係る正常系での制御チャネル受信のスロットを説明する図
【図８】本発明の実施の形態に係る無線通信システムにおいて、コードレス電話親機からの制御信号の受信に失敗した場合のスロット説明図
【図９】本発明の実施の形態に係る無線通信システムにおいて、コードレス電話親機、およびドアホン親機の両方の制御信号の受信に失敗した場合のスロット説明図
【図１０】コードレス電話装置とドアホン装置とを備えた構成を示す図
【図１１】電話ドアホン連携子機が、ドアホン親機およびコードレス親機とＴＤＭＡで通信するときの状態を示す図
【図１２】電話ドアホン連携子機が間欠受信時の送受信スロットを説明する図
【符号の説明】
【００４５】
１０１    無線通信システム
１０２    ドアホン装置
１０２ａ    玄関子機
１２０１    カメラ
１２０２    マイク
１２０３    スピーカ
１２０４    呼出しボタン
１０２ｂ    ドアホン親機
１０２０    ＬＣＤパネル
１０１８    応答ボタン
１０１５    マイク
１０１６    スピーカ
１０３    コードレス電話装置
１０３ａ    コードレス電話親機
１１０１    親機本体
１１０２    カールコード
１１０３    受話器
１１０４    操作ボタン
１１０５    表示パネル
１０３ｂ    電話ドアホン連携子機
１１０７    ＬＣＤパネル
１１０９    応答ボタン
１１１０    マイク
１１１１    スピーカ
２０１    無線受信部
２０２    無線送信部
２０３    受信制御チャネル制御部
２０４    受信制御チャネル管理部
２０５    呼制御部
２０６    通信チャネル制御部
６００    コードレス電話装置
６００ａ    コードレス電話親機
６００ｂ    コードレス電話子機
６０１    カメラ付きドアホン装置
６０１ａ    玄関子機
６０１ｂ    ドアホン親機
【図１】
2007208609.tif 000003
【図２】
2007208609.tif 000004
【図３】
2007208609.tif 000005
【図４】
2007208609.tif 000006
【図５】
2007208609.tif 000007
【図６】
2007208609.tif 000008
【図７】
2007208609.tif 000009
【図８】
2007208609.tif 000010
【図９】
2007208609.tif 000011
【図１０】
2007208609.tif 000012
【図１１】
2007208609.tif 000013
【図１２】
2007208609.tif 000014